(57)【要約】【課題】  アクセスして表示したウェブページに対して、閲覧者が画像またはテキストを書き込むことができるメモ情報追加プログラムおよび情報処理装置を提供すること。【解決手段】  ウェブブラウザプログラムを格納し、ネットワークを介してウェブサイトと通信することにより、ウェブページを表示することが可能なコンピュータに対して、ウェブブラウザプログラムを実行することによって、ネットワークを介して指定したウェブページを読み込む手順と、読み込んだウェブページが表示される際の表示サイズと同一の表示サイズとなる空白ページを作成する手順と、読み込んだウェブページの上に作成した空白ページを重ねて表示する手順と、読み込んだウェブページのソースを複製し、かつ作成した空白ページへの関連付け処理を実行したテンプレートファイルを作成する手順とを実行させる。【選択図】図１
2005196619.tif 000002
【特許請求の範囲】
【請求項１】
ウェブブラウザプログラムを格納し、ネットワークを介してウェブサイトと通信することにより、ウェブページを表示することが可能なコンピュータに対して、
前記ウェブブラウザプログラムを実行することによって、前記ネットワークを介して指定したウェブページを読み込む手順と、
前記読み込んだウェブページが表示される際の表示サイズと同一の表示サイズとなる空白ページを作成する手順と、
前記読み込んだウェブページの上に前記空白ページを重ねて表示する手順と、
前記読み込んだウェブページのソースを複製し、かつ前記空白ページへの関連付け処理を実行したテンプレートファイルを作成する手順と、
を実行させるためのメモ情報追加プログラム。
【請求項２】
前記空白ページを重ねて表示する手順は、前記ウェブページと前記空白ページとが重畳したままスクロールさせることを特徴とする請求項１に記載のメモ情報追加プログラム。
【請求項３】
前記作成した空白ページに、画像またはテキストを編集する編集プログラムを実行することによって編集した画像またはテキストを書き込む手順をさらに備えることを特徴とする請求項１または２に記載のメモ情報追加プログラム。
【請求項４】
前記空白ページを重ねて表示する手順は、前記読み込んだウェブページの上に前記画像またはテキストが書き込まれた空白ページを重ねて表示することを特徴とする請求項３に記載のメモ情報追加プログラム。
【請求項５】
ウェブブラウザプログラムを格納し、ネットワークを介してウェブサイトと通信することにより、ウェブページを表示することが可能な情報処理装置において、
前記ウェブブラウザプログラムを実行することによって、前記ネットワークを介して指定したウェブページを読み込むウェブページ読込手段と、
前記ウェブページ読込手段によって読み込んだウェブページが表示される際の表示サイズと同一の表示サイズとなる空白ページを作成する空白ページ作成手段と、
前記ウェブページ読込手段によって読み込んだウェブページの上に前記空白ページ作成手段によって作成した空白ページを重ねて表示するページ重畳表示手段と、
前記ウェブページ読込手段によって読み込んだウェブページのソースを複製し、かつ前記空白ページ作成手段によって作成した空白ページへの関連付け処理を実行したテンプレートファイルを作成するテンプレートファイル作成手段と、
を備えることを特徴とする情報処理装置。
【発明の詳細な説明】
【技術分野】
【０００１】
本発明は、任意のウェブページの任意の箇所にメモ情報を書き込みあるいは表示することが可能なメモ情報追加プログラムおよび情報処理装置に関する。
【背景技術】
【０００２】
従来、インターネット上のウェブページを閲覧するためには、ウェブページのコンテンツを格納するサーバに対して、ユーザコンピュータからウェブブラウザを用いてＵＲＬを指定することにより、ユーザコンピュータに当該ウェブページを表示していた。すなわち、ユーザコンピュータに表示されるウェブページは、そのコンテンツを提供する側が用意した内容そのものであった。
【０００３】
また、電子掲示板は、複数のユーザコンピュータからのメッセージをサーバ上に書き込むことを可能とすることにより、ユーザコンピュータから電子掲示板に掲載されたメッセージを閲覧することができるというものである。
【０００４】
また、ウェブブラウザによって表示されたウェブページの任意の箇所に、そこに記載されている文字列と関連付けて付箋情報を貼り付けておくことにより、その付箋情報を貼り付けた箇所をいつでも直ぐに参照できるようにする技術も開示されている（例えば、特許文献1参照。）。
【特許文献１】特開２００３−２８１１４１号公報
【発明の開示】
【発明が解決しようとする課題】
【０００５】
しかしながら、通常のウェブページに対しては、ユーザは何の情報も書き込めないという問題点があった。
また、電子掲示板にはユーザは書き込みをすることできるが、書き込んだデータがそのままサーバに送られてしまい、他のユーザもそれを閲覧することができてしまうという問題点があった。
【０００６】
また、ウェブページに付箋情報を貼り付ける場合、ウェブページ内の文字列に付箋情報を関連付けるため、付箋情報に関連付けられた文字列と同じ文字列が同じページ内の他の個所に存在した場合、関連付けた位置において付箋情報が表示されないことがあるという問題点があった。
【０００７】
本発明は、上記事情に鑑みてなされたもので、アクセスして表示したウェブページに対して、閲覧者が自由にメモ書き感覚で画像またはテキストを書き込むことができ、さらにブックマークとしておくことにより保存しておいた当該メモ書き付きウェブページを再度読み出した場合、当該ウェブページとともに書き込んだ画像またはテキストを表示することができるメモ情報追加プログラムおよび情報処理装置を提供することを目的とする。
【課題を解決するための手段】
【０００８】
本発明は、上記課題を解決するため、下記のような構成を採用した。
すなわち、本発明の一態様によれば、本発明のメモ情報追加プログラムは、ウェブブラウザプログラムを格納し、ネットワークを介してウェブサイトと通信することにより、ウェブページを表示することが可能なコンピュータに対して、前記ウェブブラウザプログラムを実行することによって、前記ネットワークを介して指定したウェブページを読み込む手順と、前記読み込んだウェブページが表示される際の表示サイズと同一の表示サイズとなる空白ページを作成する手順と、前記読み込んだウェブページの上に前記作成した空白ページを重ねて表示する手順と、前記読み込んだウェブページのソースを複製し、かつ前記作成した空白ページへの関連付け処理を実行したテンプレートファイルを作成する手順とを実行させるためのメモ情報追加プログラムである。
【０００９】
また、本発明のメモ情報追加プログラムは、前記空白ページを重ねて表示する手順が、前記ウェブページと前記空白ページとが重畳したままスクロールすることが可能であることが望ましい。
【００１０】
また、本発明のメモ情報追加プログラムは、前記作成した空白ページに、画像またはテキストを編集する編集プログラムを実行することによって編集した画像またはテキストを書き込む手順をさらに備えることが望ましい。
【００１１】
また、本発明のメモ情報追加プログラムは、前記空白ページを重ねて表示する手順が、前記読み込んだウェブページの上に前記画像またはテキストが書き込まれた空白ページを重ねて表示することが望ましい。
【００１２】
また、本発明の一態様によれば、本発明の情報処理装置は、ウェブブラウザプログラムを格納し、ネットワークを介してウェブサイトと通信することにより、ウェブページを表示することが可能な情報処理装置において、前記ウェブブラウザプログラムを実行することによって、前記ネットワークを介して指定したウェブページを読み込むウェブページ読込手段と、前記ウェブページ読込手段によって読み込んだウェブページが表示される際の表示サイズと同一の表示サイズとなるような、かつ背景が透明または半透明である空白ページを作成する空白ページ作成手段と、前記ウェブページ読込手段によって読み込んだウェブページの上に前記空白ページ作成手段によって作成した空白ページを重ねて表示するページ重畳表示手段と、前記ウェブページ読込手段によって読み込んだウェブページのソースを複製し、かつ前記空白ページ作成手段によって作成した空白ページへの関連付け処理を実行したテンプレートファイルを作成するテンプレートファイル作成手段とを備えることを特徴とする。
【発明の効果】
【００１３】
本発明によれば、アクセスして表示したウェブページに対して、閲覧者が自由にメモ書き感覚で画像またはテキストを書き込むことができるので、ブラウザの使い勝手が向上する。
【００１４】
また、本発明によれば、ブックマークとしておくことにより保存しておいた当該メモ書き付きウェブページを再度読み出した場合、当該ウェブページとともに書き込んだ画像またはテキストを表示することができるので、ブラウザの使い勝手が向上する。
【００１５】
また、本発明によれば、閲覧者が閲 覧者固有の情報（メモ書き）とウェブサイトとを自由に関連付けさせることができるので、ブラウザの使い勝手が向上する。
【発明を実施するための最良の形態】
【００１６】
以下、図面に基づいて本発明の実施の形態を説明する。
図１は、本発明の概要を説明するための図である。
図１において、情報処理装置１は、インターネット等のネットワーク２を介してＷＷＷ（Ｗｏｒｌｄ  Ｗｉｄｅ  Ｗｅｂ）サーバ（以下、ウェブサーバという）３に接続されている。
【００１７】
情報処理装置１は、ディスプレイ装置、キーボードやマウス等の入力装置、これらと接続された本体とを有するデスクトップ型コンピュータ、ディスプレイ装置等が一体となったノート型やパームトップ型コンピュータ等、一般に市販されている通信機能付きのパーソナルコンピュータである。情報処理装置1は、各種のプログラムやデータが読み書きされる記憶装置であるＨＤＤ（Ｈａｒｄ  Ｄｉｓｋ  Ｄｒｉｖｅ）を備え、ＨＤＤには、ハードウエアとソフトウエアを総合的に管理するためのオペレーションシステムプログラム、各種のアプリケーションプログラム、および各種のデータが格納されている。なお、このＨＤＤに格納されるプログラムには、ＷＷＷブラウザプログラム（以下、ウェブブラウザプログラムという）１１が含まれている。
【００１８】
ウェブブラウザプログラム１１は、ＣＰＵによって実行されている状態で入力装置からＵＲＬ（Ｕｎｉｆｏｒｍ  Ｒｅｓｏｕｒｃｅ  Ｌｏｃａｔｏｒ）が入力された場合、ＣＰＵに対し、ＨＴＴＰ（ＨｙｐｅｒＴｅｘｔ  Ｔｒａｎｓｆｅｒ  Ｐｒｏｔｏｃｏｌ）に従って、ＵＲＬに含まれるドメイン名により示されるウェブサーバ３へ、ＵＲＬに含まれるパス名により示されるハイパーテキストファイルをリクエストする。
【００１９】
リクエストを受けたＷＷＷサーバは、指定されたＵＲＬの情報をＷＷＷコンテンツ３２から読み出し、ｈｔｔｐサーバ３１によって、リクエストしてきた情報処理装置１へネットワーク２を介して送信する。
【００２０】
そして、このリクエストに応じてハイパーテキストファイルがウェブサーバ３から送信されてきた場合、ウェブブラウザプログラム１１は、ＣＰＵに対し、そのハイパーテキストファイルに格納されているハイパーテキストデータを読み込ませ、そのハイパーテキストデータによって示されるウェブページを示したブラウザ画面をディスプレイ装置に表示させる。
【００２１】
なお、ウェブブラウザプログラム１１は、ハイパーテキストデータ中に画像ファイルのパス名が記述されていた場合、ＣＰＵに対し、その画像ファイルをウェブサーバ３へリクエストする。そして、そのリクエストに応じて画像ファイルが送信されてきた場合、ウェブブラウザプログラム１１は、ＣＰＵに対し、その画像ファイルの中の画像データに基づく画像を、ハイパーテキストデータに従って表示されたウェブページ上に、貼り付けさせる。
【００２２】
また、ＨＤＤに格納されるデータやプログラムには、メモ情報追加プログラム、メモ情報追加プログラムにより作成される空白ページおよびテンプレートファイルが格納されている。メモ情報追加プログラムは、ウェブブラウザプログラム１１にメモ情報追加機能を追加するアドインソフトウエア（あるいは、プラグインソフトウエア）である。このメモ情報追加プログラムは、ＦＤ、ＣＤ等の可搬型記録媒体から情報処理装置１が備えるドライブに読み出されることによって、あるいはネットワーク２を介してダウンロードすることによって、ＨＤＤにインストールされる。
【００２３】
そして、上記メモ情報追加プログラムは、情報処理装置１が備えるウェブページ読込手段１２、空白ページ作成手段１３、ページ重畳表示手段１５、テンプレートファイル作成手段１６および書込手段１８を、機能させるためのプログラムである。
【００２４】
ウェブページ読込手段１２は、前記ウェブブラウザプログラム１１を実行することによって、前記ネットワーク２を介して指定したＵＲＬのウェブページを読み込む。
空白ページ作成手段１３は、前記ウェブページ読込手段１２によって読み込んだウェブページが表示される際の表示サイズと同一の表示サイズとなるような空白ページを作成する。例えば、次に様にして表示サイズを求める。まず、ウェブブラウザプログラムで使用する文字のフォントサイズを予め標準サイズで定義しておき、そのウェブサイトから文字列の部分を抽出する。そして、抽出した文字列と表示領域の幅をパラメータとしてＯＳが用意している関数（ＭＳ−Ｗｉｎｄｏｗｓ（登録商標）の場合、ＴａｂｂｅｄＴｅｘｔＯｕｔ関数）に渡すと、求めたい表示サイズの高さ（長さ）が演算されて求めることができる。
【００２５】
また、この空白ページは、背景が透明または半透明であり、上記読み込んだウェブページに重ねると透けて下のウェブページの記載内容が見える。そして、作成された空白ページは、空白ページデータベース（ＤＢ）１４に格納される。
【００２６】
ページ重畳表示手段１５は、前記ウェブページ読込手段１２によって読み込んだウェブページの上に前記空白ページ作成手段１３によって作成した空白ページを重ねて表示する。この表示状態は、通常のホームページを表示した状態と何ら変わりはない。
【００２７】
テンプレートファイル作成手段１６は、前記ウェブページ読込手段１２によって読み込んだウェブページのソースを複製し、かつ前記空白ページ作成手段１３によって作成した空白ページへの関連付け処理を実行したテンプレートファイルを作成する。そして、作成されたテンプレートファイルは、テンプレートファイルデータベース（ＤＢ）１７に格納される。
【００２８】
また、前記ページ重畳表示手段１５は、前記ウェブページと前記空白ページとが重畳したままスクロールすることが可能である。すなわち、同一サイズである読み込んだウェブページと作成した空白ページとを同時にスクロールさせることにより、両者を重畳したままスクロールする。
【００２９】
書込手段１８は、前記空白ページ作成手段１３によって作成した空白ページに、画像またはテキストを編集する編集プログラム１９を実行することによって編集した画像またはテキストを書き込む。編集プログラム１９としては、マウス等を用いてフリーハンドで画像を描けるプログラム、コマンドや関数を用いて画像を描くプログラム、キーボード等を用いてテキスト文字を入力するプログラム、マイクロフォンから音声を入力して音声認識し文字列を入力するプログラム等が含まれる。また、このようにして入力した文字列がＵＲＬであった場合には、そのサイトへリンクを張ることも可能である。
【００３０】
そして、前記ページ重畳表示手段１５は、前記ウェブページ読込手段１２によって読み込んだウェブページの上に前記書込手段１８によって画像またはテキストが書き込まれた空白ページを重ねて表示する。
【００３１】
図２は、本発明を適用したメモ情報追加プログラムが実行するメモ情報追加処理の流れを示すフローチャートである。
まず、ステップＳ２１において、キーボード等からの入力により、あるいはリンクが張られた（アンカーが指定されている）ＵＲＬの指示により、ＵＲＬが指定されたか否かを判断する。そして、ステップＳ２２において、その指定されたＵＲＬが新しいＵＲＬであるか否か、すなわちテンプレートファイルデータベース１７に格納されているＵＲＬであるか否かを判断する。
【００３２】
ステップＳ２２で新しいＵＲＬであると判断された場合（ステップＳ２２：ＹＥＳ）は、ステップＳ２３において、前記ウェブブラウザプログラムを実行することによって、前記ネットワークを介して指定したウェブページをウェブサイトから読み込む。
【００３３】
次に、ステップＳ２４において、前記読み込んだウェブページが表示される際の表示サイズと同一の表示サイズとなるような、かつ背景が透明または半透明である空白ページを作成するとともに、前記読み込んだウェブページのソースを複製し、かつ前記作成した空白ページへの関連付け処理を実行したテンプレートファイルを作成する。これら作成した空白ページおよびテンプレートファイルは、それぞれ空白ページデータベース１４およびテンプレートファイルデータベース１７に格納する。
【００３４】
そして、ステップＳ２５において、前記読み込んだウェブページの上に前記作成した空白ページを重ねて表示する。なお、前記ウェブページと前記空白ページとは重畳したままスクロールすることが可能である。
【００３５】
他方、ステップＳ２２で新しいＵＲＬであると判断されなかった場合（ステップＳ２２：ＮＯ）は、ステップＳ２６において、テンプレートファイルデータベース１７から指定されたウェブページに対応するテンプレートファイルを読み込む。
【００３６】
そして、ステップＳ２７において、ステップＳ２６で読み込んだテンプレートファイル中に複製されているウェブページ上に対応する空白ページを重ねて表示する。なお、指定されたＵＲＬは新しいＵＲＬではないので、本メモ情報追加プログラムの実行は必ず２回目以降であり、後述するステップＳ２９およびステップＳ３０が既に実行されている。よって、ステップＳ２７においては、ステップＳ２９で書き込まれた画像またはテキストを含む空白ページを重ねて表示する。また、後述するステップＳ２９で画像またはテキストが書き込まれた後、ウェブページの更新がされてしまったことにより、画像またはテキストが書き込まれた位置がずれるような場合は、ワーニングを表示する。
【００３７】
次に、ユーザが表示されているウェブページを見て、当該ウェブページ上にメモ情報として画像またはテキストを書き込むために編集プログラム（例えば、画像作成ソフトウエアや文章作成ソフトウエア等のアプリケーションプログラム）を起動させた場合、ステップＳ２８において、編集プログラムが起動されたか否かを判断する。
【００３８】
ステップＳ２８で編集プログラムが起動されたと判断された場合（ステップＳ２８：ＹＥＳ）、当該編集プログラムの実行により何かしらの画像またはテキストの書き込みがあった際に、ステップＳ２９において、前記作成した空白ページに当該画像またはテキストを書き込む。
【００３９】
そして、ステップＳ３０において、画像またはテキストが書き込まれた空白ページを空白ページデータベース１４に保存して本メモ情報追加プログラムを終了する。
他方、ステップＳ２８で編集プログラムが起動されたと判断されなかった場合（ステップＳ２８：ＮＯ）、ステップＳ３１において、本メモ情報追加プログラムを終了するか否かを確認した後、本メモ情報追加プログラムを終了する。
【００４０】
なお、ステップＳ２４で、空白ページを作成するとともにテンプレートファイルを作成するとしたが、空白ページの作成は、編集プログラムが起動された際に行ってもよい。この場合、ステップＳ２５で表示するウェブページは、ステップＳ２３で読み込まれた指定ページそのものとなる。
【００４１】
図３は、初期状態のテンプレートファイルの例を示す図である。
上述したように新しいＵＲＬが指定されると、読み込んだウェブページのソースを複製したテンプレートファイルが作成される。図３は、その具体的テンプレートファイルの１例であり、＜ＨＥＡＤ＞タグと＜／ＨＥＡＤ＞タグとの間に指定されたウェブページのヘッダ部分をそのまま複製し、＜ＢＯＤＹ＞タグと＜／ＢＯＤＹ＞タグとの間に指定されたウェブページのボディー部分をそのまま複製している。
【００４２】
図４は、メモ情報が追加されたテンプレートファイルの例を示す図である。
図３に示した＜ＨＴＭＬ＞タグから＜／ＨＴＭＬ＞タグまでの次に、画像またはテキストが書き込まれた空白ページと関連付けるためのタグが追加されている。追加されているタグには、ＳＲＣ＝“／ｈｔｍｌｃｈａｃｈｅ／ｗｗｗ＿ｆｕｊｉｔｓｕ＿ｃｏｍ．ｂｍｐ”で、メモ情報が記された画像のファイル名を示し、ＤＡＴＥ＝“２０  Ｏｃｔ，２００３”で、ウェブサイトに最後にアクセスした日付を示している。
【００４３】
図５乃至図１１は、本発明を適用した情報処理装置におけるウェブサイトの表示例を示す図である。
ウェブブラウザプログラムを用いてウェブサイト（ｈｔｔｐ：／／ｔｏｐｐａｇｅ．ｆａｓｏｌ．ｆｕｊｉｔｓｕ．ｃｏｍ／ｉｎｄｅｘ．ａｓｐ）にアクセスすると、図５のような画面が表示される。ここで、画面上に編集プログラムを用いてメモ情報を書き込むと、図６のような画面となる。この際、このページをブックマークしておく。
【００４４】
その後、他のページを表示した後、ブックマークしておいたページを読み出すと（図７）、図８に示すようにウェブサイトがメモ情報とともに表示される。
また、通常はページ単位でしかブックマークできなかったが（図９）、図１０に示すように表示されるウェブページの途中にメモ情報を書き込んでブックマークしておくことにより、メモ情報を書き込んだ位置を基準としてブックマークすることも可能となる（図１１）。
【００４５】
上述のように、本発明の実施の形態を、図面を参照しながら説明してきたが、本発明が適用される情報処理装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００４６】
また、図１２に示したように、バス１２０９に接続されたＣＰＵ１２０１、ＲＯＭやＲＡＭのメモリ１２０２、入力装置１２０３、出力装置１２０４、外部記録装置１２０５、媒体駆動装置１２０６、可搬記録媒体１２１０、ネットワーク接続装置１２０７で構成されるシステムでも実現できる。すなわち、前述してきた実施の形態のシステムを実現するソフトェアのプログラムコードを記録したＲＯＭやＲＡＭのメモリ１２０２、外部記録装置１２０５、可搬記録媒体１２１０を、情報処理装置に供給し、その情報処理装置のコンピュータがプログラムコードを読み出し実行することによっても、達成されることは言うまでもない。
【００４７】
この場合、可搬記録媒体１２１０等から読み出されたプログラムコード自体が本発明の新規な機能を実現することになり、そのプログラムコードを記録した可搬記録媒体１２１０等は本発明を構成することになる。
【００４８】
プログラムコードを供給するための可搬記録媒体１２１０としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置１２０７（言い換えれば、通信回線）を介して記録した種々の記録媒体などを用いることができる。
【００４９】
また、図１３に示すように、コンピュータ１３００がメモリ１３０１上に読み出したプログラムコードを実行することによって、前述した実施の形態の機能が実現される他、そのプログラムコードの指示に基づき、コンピュータ１３００上で稼動しているＯＳなどが実際の処理の一部または全部を行ない、その処理によっても前述した実施の形態の機能が実現される。
【００５０】
さらに、可搬型記録媒体１３１０から読み出されたプログラムコードやプログラム（データ）提供者から提供されたプログラム（データ）１３２０が、コンピュータ１３００に挿入された機能拡張ボードやコンピュータ１３００に接続された機能拡張ユニットに備わるメモリ１３０１に書き込まれた後、そのプログラムコードの指示に基づき、その機能拡張ボードや機能拡張ユニットに備わるＣＰＵなどが実際の処理の一部または全部を行ない、その処理によっても前述した実施の形態の機能が実現され得る。
【００５１】
すなわち、本発明は、以上に述べた実施の形態に限定されるものではなく、本発明の要旨を逸脱しない範囲内で種々の構成または形状を取ることができる。ここで、上述した実施の形態の特徴を列挙すると、以下の通りである。
【００５２】
（付記１）
ウェブブラウザプログラムを格納し、ネットワークを介してウェブサイトと通信することにより、ウェブページを表示することが可能なコンピュータに対して、
前記ウェブブラウザプログラムを実行することによって、前記ネットワークを介して指定したウェブページを読み込む手順と、
前記読み込んだウェブページが表示される際の表示サイズと同一の表示サイズとなる空白ページを作成する手順と、
前記読み込んだウェブページの上に前記作成した空白ページを重ねて表示する手順と、
前記読み込んだウェブページのソースを複製し、かつ前記作成した空白ページへの関連付け処理を実行したテンプレートファイルを作成する手順と、
を実行させるためのメモ情報追加プログラム。
【００５３】
（付記２）
前記空白ページを重ねて表示する手順は、前記ウェブページと前記空白ページとが重畳したままスクロールすることを特徴とする付記１に記載のメモ情報追加プログラム。
【００５４】
（付記３）
前記作成した空白ページに、画像またはテキストを編集する編集プログラムを実行することによって編集した画像またはテキストを書き込む手順をさらに備えることを特徴とする付記１または２に記載のメモ情報追加プログラム。
【００５５】
（付記４）
前記空白ページを重ねて表示する手順は、前記読み込んだウェブページの上に前記画像またはテキストが書き込まれた空白ページを重ねて表示することを特徴とする付記３に記載のメモ情報追加プログラム。
【００５６】
（付記５）
ウェブブラウザプログラムを格納し、ネットワークを介してウェブサイトと通信することにより、ウェブページを表示することが可能な情報処理装置において、
前記ウェブブラウザプログラムを実行することによって、前記ネットワークを介して指定したウェブページを読み込むウェブページ読込手段と、
前記ウェブページ読込手段によって読み込んだウェブページが表示される際の表示サイズと同一の表示サイズとなる空白ページを作成する空白ページ作成手段と、
前記ウェブページ読込手段によって読み込んだウェブページの上に前記空白ページ作成手段によって作成した空白ページを重ねて表示するページ重畳表示手段と、
前記ウェブページ読込手段によって読み込んだウェブページのソースを複製し、かつ前記空白ページ作成手段によって作成した空白ページへの関連付け処理を実行したテンプレートファイルを作成するテンプレートファイル作成手段と、
を備えることを特徴とする情報処理装置。
【００５７】
（付記６）
前記ページ重畳表示手段は、前記ウェブページと前記空白ページとが重畳したままスクロールさせることを特徴とする付記５に記載の情報処理装置。
【００５８】
（付記７）
前記空白ページ作成手段によって作成した空白ページに、画像またはテキストを編集する編集プログラムを実行することによって編集した画像またはテキストを書き込む書込手段をさらに備えることを特徴とする付記５または６に記載の情報処理装置。
【００５９】
（付記８）
前記ページ重畳表示手段は、前記ウェブページ読込手段によって読み込んだウェブページの上に前記書込手段によって画像またはテキストが書き込まれた空白ページを重ねて表示することを特徴とする付記7に記載の情報処理装置。
【図面の簡単な説明】
【００６０】
【図１】本発明の概要を説明するための図である。
【図２】本発明を適用したメモ情報追加プログラムが実行するメモ情報追加処理の流れを示すフローチャートである。
【図３】初期状態のテンプレートファイルの例を示す図である。
【図４】メモ情報が追加されたテンプレートファイルの例を示す図である。
【図５】本発明を適用した情報処理装置におけるウェブサイトの表示例を示す図（その１）である。
【図６】本発明を適用した情報処理装置におけるウェブサイトの表示例を示す図（その２）である。
【図７】本発明を適用した情報処理装置におけるウェブサイトの表示例を示す図（その３）である。
【図８】本発明を適用した情報処理装置におけるウェブサイトの表示例を示す図（その４）である。
【図９】本発明を適用した情報処理装置におけるウェブサイトの表示例を示す図（その５）である。
【図１０】本発明を適用した情報処理装置におけるウェブサイトの表示例を示す図（その６）である。
【図１１】本発明を適用した情報処理装置におけるウェブサイトの表示例を示す図（その７）である。
【図１２】本発明における情報処理装置の構成図である。
【図１３】本発明におけるメモ情報追加プログラムのコンピュータへのローディングを説明するための図である。
【符号の説明】
【００６１】
１      情報処理装置
２      ネットワーク
３      ＷＷＷサーバ（ウェブサーバ）
１１    ウェブブラウザプログラム
１２    ウェブページ読込手段
１３    空白ページ作成手段
１４    空白ページＤＢ（データベース）
１５    ページ重畳表示手段
１６    テンプレートファイル作成手段
１７    テンプレートファイルＤＢ（データベース）
１８    書込手段
１９    編集プログラム
３１    ｈｔｔｐサーバ
３２    ＷＷＷコンテンツ
【図１】
2005196619.tif 000003
【図２】
2005196619.tif 000004
【図３】
2005196619.tif 000005
【図４】
2005196619.tif 000006
【図５】
2005196619.tif 000007
【図６】
2005196619.tif 000008
【図７】
2005196619.tif 000009
【図８】
2005196619.tif 000010
【図９】
2005196619.tif 000011
【図１０】
2005196619.tif 000012
【図１１】
2005196619.tif 000013
【図１２】
2005196619.tif 000014
【図１３】
2005196619.tif 000015